(57)【要約】【課題】デジタルビデオカメラに対して早送り再生・巻き戻し再生・スロー再生の速度の段階を切り換えることを可能にする情報記録再生装置を提供する。【解決手段】デジタルビデオカメラからの情報が早送り再生されている際中に、情報記録再生装置が、早送り再生の速度の段階を切り換えるためにＦＦ操作が行われたことを検知したとき、デジタルビデオカメラへの状態取得コマンドによりＦＦ１状態を取得し、この取得したカメラ状態が、送信した早送り再生操作コマンドにより実行されたカメラ状態に変わるまで、デジタルビデオカメラにコマンドＦＦ２，ＦＦ３を順次送信させる。ここで、デジタルビデオカメラは、コマンドＦＦ３を受けたときに、コマンドＦＦ３に対応する機能を有しているとすると、早送り再生状態がＦＦ３状態になる。このような処理により、デジタルビデオカメラでの早送り再生の速度の段階を切り換えることができる。【選択図】図４
2007324949.tif 000002
【特許請求の範囲】
【請求項１】
撮像手段により撮像された映像情報および音声入力手段により入力された音声情報を磁気テープに記録すると共に磁気テープに記録された映像音声情報を再生するデジタルビデオカメラとケーブルを介して接続可能であって、前記デジタルビデオカメラから再生された映像音声情報を記録媒体に記録できると共に記録媒体に記録された映像音声情報を再生できるように構成された情報記録再生装置において、
前記デジタルビデオカメラを操作するカメラ操作モードに設定された後、早送り再生または巻き戻し再生またはスロー再生のことを示す特殊再生を行うための特殊再生操作により特殊再生が行われている際中に、特殊再生の速度の段階を切り換えるために特殊再生操作が行われたことを検知する特殊操作検知手段と、
この特殊操作検知手段により特殊再生操作が検知されたとき、前記デジタルビデオカメラに状態取得コマンドを送信し、この状態取得コマンドによりカメラ状態を取得するカメラ状態取得手段と、
前記取得されたカメラ状態が示す特殊再生速度よりも１段階速い特殊再生を行わせるための１段階速い特殊再生操作コマンドを前記デジタルビデオカメラに送信する特殊再生操作コマンド送信手段と、
前記１段階速い特殊再生操作コマンドが前記デジタルビデオカメラに送信された後、前記デジタルビデオカメラに状態取得コマンドを送信し、この状態取得コマンドによりカメラ状態を再度取得するカメラ状態再度取得手段と、
このカメラ状態再度取得手段により取得されたカメラ状態が示す特殊再生速度が前記１段階速い特殊再生操作コマンドにより実行された１段階速い特殊再生速度の特殊再生状態であるか否かを判定する特殊再生状態判定手段と、
前記１段階速い特殊再生速度の特殊再生状態であると判定された場合は特殊再生速度の段階の切り換えが完了したと認識するが、前記１段階速い特殊再生速度の特殊再生状態でないと判定された場合は、所定の応答時間を待って、１段階速い特殊再生速度の特殊再生状態であるか否かを再度判定する特殊再生状態再度判定手段と、
この特殊再生状態再度判定手段により、前記１段階速い特殊再生速度の特殊再生状態であると判定された場合は特殊再生速度の段階の切り換えが完了したと認識するが、前記１段階速い特殊再生速度の特殊再生状態でないと判定された場合は、前記特殊再生操作コマンド送信手段からの処理に戻して、更に１段階速い特殊再生処理に関する処理に移行させる処理移行手段と、を有するシステムコントローラを備えたことを特徴とする情報記録再生装置。
【請求項２】
撮像手段により撮像された映像情報および音声入力手段により入力された音声情報を磁気テープに記録すると共に磁気テープに記録された映像音声情報を再生するデジタルビデオカメラとケーブルを介して接続可能であって、前記デジタルビデオカメラから再生された映像音声情報を記録媒体に記録できると共に記録媒体に記録された映像音声情報を再生できるように構成された情報記録再生装置において、
早送り再生または巻き戻し再生またはスロー再生のことを示す特殊再生を行うための特殊再生操作により特殊再生が行われている際中に、特殊再生の速度の段階を切り換えるために特殊再生操作が行われたことを検知したとき、前記デジタルビデオカメラへの状態取得コマンドによりカメラ状態を取得し、この取得したカメラ状態が、送信した特殊再生操作コマンドにより実行されたカメラ状態に変わるまで、前記デジタルビデオカメラに各特殊再生操作コマンドを順次送信させるシステムコントローラを備えたことを特徴とする情報記録再生装置。
【請求項３】
前記システムコントローラは、前記デジタルビデオカメラを操作するカメラ操作モードに設定された後、早送り再生または巻き戻し再生またはスロー再生のことを示す特殊再生を行うための特殊再生操作により特殊再生が行われている際中に、特殊再生の速度の段階を切り換えるために特殊再生操作が行われたことを検知する特殊操作検知手段と、この特殊操作検知手段により特殊再生操作が検知されたとき、前記デジタルビデオカメラに状態取得コマンドを送信し、この状態取得コマンドによりカメラ状態を取得するカメラ状態取得手段と、前記取得されたカメラ状態が示す特殊再生速度よりも１段階速い特殊再生を行わせるための１段階速い特殊再生操作コマンドを前記デジタルビデオカメラに送信する特殊再生操作コマンド送信手段と、前記１段階速い特殊再生操作コマンドが前記デジタルビデオカメラに送信された後、前記デジタルビデオカメラに状態取得コマンドを送信し、この状態取得コマンドによりカメラ状態を再度取得するカメラ状態再度取得手段と、このカメラ状態再度取得手段により取得されたカメラ状態が示す特殊再生速度が前記１段階速い特殊再生操作コマンドにより実行された１段階速い特殊再生速度の特殊再生状態であるか否かを判定する特殊再生状態判定手段と、前記１段階速い特殊再生速度の特殊再生状態であると判定された場合は特殊再生速度の段階の切り換えが完了したと認識するが、前記１段階速い特殊再生速度の特殊再生状態でないと判定された場合は、所定の応答時間を待って、１段階速い特殊再生速度の特殊再生状態であるか否かを再度判定する特殊再生状態再度判定手段と、この特殊再生状態再度判定手段により、前記１段階速い特殊再生速度の特殊再生状態であると判定された場合は特殊再生速度の段階の切り換えが完了したと認識するが、前記１段階速い特殊再生速度の特殊再生状態でないと判定された場合は、前記特殊再生操作コマンド送信手段からの処理に戻して、更に１段階速い特殊再生処理に関する処理に移行させる処理移行手段とを有することを特徴とする請求項２に記載の情報記録再生装置。
【発明の詳細な説明】
【技術分野】
【０００１】
本発明は、撮像された映像情報および入力された音声情報を磁気テープに記録すると共に磁気テープに記録された映像音声情報を再生するデジタルビデオカメラとケーブルを介して接続可能であって、デジタルビデオカメラから再生された映像音声情報を記録媒体に記録できると共に記録媒体に記録された映像音声情報を再生できるように構成された情報記録再生装置に関し、特に、デジタルビデオカメラに対して早送り再生・巻き戻し再生・スロー再生の速度の段階を切り換えるための処理に関する。
【背景技術】
【０００２】
従来から知られているように、物体や人物などを撮像して、この撮像した映像情報、およびマイクで得た音声情報を磁気テープに記録し、また、磁気テープに記録した映像情報および音声情報を再生して、テレビ受信機などのディスプレイ装置に映像を表示させると共にスピーカなどから音声を出力させることが可能な構成を有するデジタルビデオカメラが普及している。
【０００３】
ところで、このようなデジタルビデオカメラにセットされた磁気テープに記録された映像音声情報を、情報記録再生装置によりハードディスクや光ディスクなどの記録媒体にダビング記録したい場合がある。この場合、デジタルビデオカメラのデジタル入出力端子を、例えば、ＩＥＥＥ（Institute of Electrical and Electronics Engineers）１３９４ケーブルを介して、情報記録再生装置のデジタル入出力端子に接続し、デジタルビデオカメラを再生モードに設定すると共に情報記録再生装置を記録モードに設定することによって、磁気テープに記録されている映像音声情報を再生し、この再生した映像音声情報を情報記録再生装置に送ることにより、記録媒体には磁気テープに記録されている映像音声情報が記録される。
【０００４】
また、情報記録再生装置に接続されたモニタ装置（テレビ受信機など）に、デジタルビデオカメラにセットされた磁気テープに記録された映像音声情報を再生してモニタ装置に入力し、モニタ装置のディスプレイ装置に映像を表示させると共に、モニタ装置のスピーカに音声を出力させたい場合がある。この場合、デジタルビデオカメラのデジタル入出力端子を、例えば、ＩＥＥＥ（Institute of Electrical and Electronics Engineers）１３９４ケーブルを介して、情報記録再生装置のデジタル入出力端子に接続し、リモコンを操作して情報記録再生装置をカメラ操作モードに設定し、この後、リモコンの再生キーを押下することにより、デジタルビデオカメラにセットされている磁気テープに対して再生動作が行われ、これにより、磁気テープから映像音声情報が読み出され、情報記録再生装置を経由してモニタ装置に送られ、モニタ装置のディスプレイ装置に映像が表示されると共に、モニタ装置のスピーカから音声が出力される。
【特許文献１】特開２００５−１７６０５９号公報
【特許文献２】特開２００６−６７２０４号公報
【発明の開示】
【発明が解決しようとする課題】
【０００５】
そして、前記のように磁気テープの映像音声情報の再生が行われているときに、ユーザが、その映像情報を例えば早送り再生で観たい場合、リモコンの早送りキーを押下すると、磁気テープが早送り再生の速度で走行し、モニタ装置のディスプレイ装置には早送り再生の映像を観ることができる。しかしながら、この種の従来の情報記録再生装置では、デジタルビデオカメラに対して磁気テープを早送り再生させるには、リモコンの早送りキーを押下すれば良いが、早送り再生速度の段階を切り換える速度切り換え機能を有していないので、即ち、各機種のデジタルビデオカメラの早送り再生の速度の段階に対応した速度切り換えコマンドを有していないので、早送り再生の速度の段階を切り換えることができないという課題があった。また、巻き戻し再生やスロー再生についても、同様に、巻き戻し再生の速度の段階やスロー再生の速度の段階を切り換えることができないという課題があった。
【０００６】
なお、特許文献１の従来技術は、再生コマンドや早送りコマンドや巻き戻しコマンドなどのようなデジタルビデオカメラとしての動作を示す種々のコマンドの内、受付可能なコマンドの内の一つが通信制御手段を介して映像信号記録装置からデジタルビデオカメラに与えられたときには、デジタルビデオカメラはコマンドにより指示された動作を実行するが、デジタルビデオカメラに対して早送り再生・巻き戻し再生・スロー再生の速度の段階を切り換える処理については開示されていない。
【０００７】
特許文献２の従来技術は、ＤＶＤレコーダからインターフェイスを介してデジタルビデオカメラの操作を行う制御用コマンドと、その応答信号の送受信を行ってデジタルビデオカメラを制御するものであるが、デジタルビデオカメラに対して早送り再生・巻き戻し再生・スロー再生の速度の段階を切り換える処理については開示されていない。
【０００８】
本発明は、上記のような課題を解決するためになされたもので、デジタルビデオカメラに対して早送り再生・巻き戻し再生・スロー再生の速度の段階を切り換えることができるようにする情報記録再生装置を提供することを目的とする。
【課題を解決するための手段】
【０００９】
上記目的を達成するために、請求項１の発明は、撮像手段により撮像された映像情報および音声入力手段により入力された音声情報を磁気テープに記録すると共に磁気テープに記録された映像音声情報を再生するデジタルビデオカメラとケーブルを介して接続可能であって、前記デジタルビデオカメラから再生された映像音声情報を記録媒体に記録できると共に記録媒体に記録された映像音声情報を再生できるように構成された情報記録再生装置において、前記デジタルビデオカメラを操作するカメラ操作モードに設定された後、早送り再生または巻き戻し再生またはスロー再生のことを示す特殊再生を行うための特殊再生操作により特殊再生が行われている際中に、特殊再生の速度の段階を切り換えるために特殊再生操作が行われたことを検知する特殊操作検知手段と、この特殊操作検知手段により特殊再生操作が検知されたとき、前記デジタルビデオカメラに状態取得コマンドを送信し、この状態取得コマンドによりカメラ状態を取得するカメラ状態取得手段と、前記取得されたカメラ状態が示す特殊再生速度よりも１段階速い特殊再生を行わせるための１段階速い特殊再生操作コマンドを前記デジタルビデオカメラに送信する特殊再生操作コマンド送信手段と、前記１段階速い特殊再生操作コマンドが前記デジタルビデオカメラに送信された後、前記デジタルビデオカメラに状態取得コマンドを送信し、この状態取得コマンドによりカメラ状態を再度取得するカメラ状態再度取得手段と、このカメラ状態再度取得手段により取得されたカメラ状態が示す特殊再生速度が前記１段階速い特殊再生操作コマンドにより実行された１段階速い特殊再生速度の特殊再生状態であるか否かを判定する特殊再生状態判定手段と、前記１段階速い特殊再生速度の特殊再生状態であると判定された場合は特殊再生速度の段階の切り換えが完了したと認識するが、前記１段階速い特殊再生速度の特殊再生状態でないと判定された場合は、所定の応答時間を待って、１段階速い特殊再生速度の特殊再生状態であるか否かを再度判定する特殊再生状態再度判定手段と、この特殊再生状態再度判定手段により、前記１段階速い特殊再生速度の特殊再生状態であると判定された場合は特殊再生速度の段階の切り換えが完了したと認識するが、前記１段階速い特殊再生速度の特殊再生状態でないと判定された場合は、前記特殊再生操作コマンド送信手段からの処理に戻して、更に１段階速い特殊再生処理に関する処理に移行させる処理移行手段と、を有するシステムコントローラを備えたことを特徴とする情報記録再生装置を提供する。
【００１０】
この構成において、デジタルビデオカメラを操作するカメラ操作モードに設定された後、例えば、早送り再生を行うための早送り再生操作（特殊再生操作）により早送り再生（特殊再生）が行われている際中に、早送り再生（特殊再生）の速度の段階を切り換えるために早送り再生操作（特殊再生操作）が行われたことを特殊操作検知手段により検知されると、カメラ状態取得手段は、デジタルビデオカメラに状態取得コマンドを送信し、この状態取得コマンドによりカメラ状態を取得する。
【００１１】
次に、特殊再生操作コマンド送信手段は、前記取得されたカメラ状態が示す早送り再生速度（特殊再生速度）よりも１段階速い早送り再生（特殊再生）を行わせるための１段階速い早送り再生操作コマンド（特殊再生操作コマンド）をデジタルビデオカメラに送信する。そして、カメラ状態再度取得手段は、デジタルビデオカメラに状態取得コマンドを送信し、この状態取得コマンドによりカメラ状態を再度取得する。特殊再生状態判定手段は、前記カメラ状態再度取得手段により取得されたカメラ状態が示す早送り再生速度（特殊再生速度）が前記１段階速い早送り再生操作コマンド（特殊再生操作コマンド）により実行された１段階速い早送り再生速度（特殊再生速度）の早送り再生状態（特殊再生状態）であるか否かを判定する。
【００１２】
前記１段階速い早送り再生速度（特殊再生速度）の早送り再生状態（特殊再生状態）であると判定された場合は早送り再生速度（特殊再生速度）の段階の切り換えが完了したと認識されるが、前記１段階速い早送り再生速度（特殊再生速度）の早送り再生状態（特殊再生状態）でないと判定された場合は、特殊再生状態再度判定手段は、所定の応答時間（例えば、２００ｍｓ）を待って、１段階速い早送り再生速度（特殊再生速度）の早送り再生状態（特殊再生状態）であるか否かを再度判定する。
【００１３】
前記特殊再生状態再度判定手段により、前記１段階速い早送り再生速度（特殊再生速度）の早送り再生状態（特殊再生状態）であると判定された場合は、早送り再生速度（特殊再生速度）の段階の切り換えが完了したと認識されるが、前記１段階速い早送り再生速度（特殊再生速度）の早送り再生状態（特殊再生状態）でないと判定された場合は、処理移行手段は、前記特殊再生操作コマンド送信手段からの処理に戻して、更に１段階速い早送り再生処理（特殊再生処理）に関する処理に移行させる。
【００１４】
この構成によれば、早送り再生または巻き戻し再生またはスロー再生のことを示す特殊再生を行うための特殊再生操作により特殊再生が行われている際中に、特殊再生の速度の段階を切り換えるための特殊再生操作が行われると、送信した特殊再生操作コマンドにより実行されたカメラ状態に変わるまで、前記デジタルビデオカメラに各特殊再生操作コマンドを順次送信させるので、デジタルビデオカメラの機種に関係なく、デジタルビデオカメラに対して早送り再生・巻き戻し再生・スロー再生の速度の段階を切り換えることができ、ユーザにとってはデジタルビデオカメラに対する早送り再生の速度または巻き戻し再生の速度またはスロー再生の速度の段階の切り換え操作に対する使い勝手が良くなる。
【００１５】
請求項２の発明は、撮像手段により撮像された映像情報および音声入力手段により入力された音声情報を磁気テープに記録すると共に磁気テープに記録された映像音声情報を再生するデジタルビデオカメラとケーブルを介して接続可能であって、前記デジタルビデオカメラから再生された映像音声情報を記録媒体に記録できると共に記録媒体に記録された映像音声情報を再生できるように構成された情報記録再生装置において、早送り再生または巻き戻し再生またはスロー再生のことを示す特殊再生を行うための特殊再生操作により特殊再生が行われている際中に、特殊再生の速度の段階を切り換えるために特殊再生操作が行われたことを検知したとき、前記デジタルビデオカメラへの状態取得コマンドによりカメラ状態を取得し、この取得したカメラ状態が、送信した特殊再生操作コマンドにより実行されたカメラ状態に変わるまで、前記デジタルビデオカメラに各特殊再生操作コマンドを順次送信させるシステムコントローラを備えたことを特徴とする情報記録再生装置を提供する。
【００１６】
この構成において、例えば、早送り再生が行われている際中に、早送り再生の速度の段階を切り換えるために早送り再生操作が行われると、デジタルビデオカメラへの状態取得コマンドによりカメラ状態が取得され、この取得されたカメラ状態が、送信した早送り再生操作コマンドにより実行されたカメラ状態（早送り再生状態）に変わるまで、デジタルビデオカメラに各早送り再生操作コマンドが順次送信される。
【００１７】
この構成によれば、早送り再生または巻き戻し再生またはスロー再生のことを示す特殊再生を行うための特殊再生操作により特殊再生が行われている際中に、特殊再生の速度の段階を切り換えるための特殊再生操作が行われると、送信した特殊再生操作コマンドにより実行されたカメラ状態に変わるまで、前記デジタルビデオカメラに各特殊再生操作コマンドを順次送信させるので、デジタルビデオカメラの機種に関係なく、デジタルビデオカメラに対して早送り再生・巻き戻し再生・スロー再生の速度の段階を切り換えることができ、ユーザにとってはデジタルビデオカメラに対する早送り再生の速度または巻き戻し再生の速度またはスロー再生の速度の段階の切り換え操作に対する使い勝手が良くなる。
【００１８】
請求項３の発明では、請求項２の発明において、前記システムコントローラは、前記デジタルビデオカメラを操作するカメラ操作モードに設定された後、早送り再生または巻き戻し再生またはスロー再生のことを示す特殊再生を行うための特殊再生操作により特殊再生が行われている際中に、特殊再生の速度の段階を切り換えるために特殊再生操作が行われたことを検知する特殊操作検知手段と、この特殊操作検知手段により特殊再生操作が検知されたとき、前記デジタルビデオカメラに状態取得コマンドを送信し、この状態取得コマンドによりカメラ状態を取得するカメラ状態取得手段と、前記取得されたカメラ状態が示す特殊再生速度よりも１段階速い特殊再生を行わせるための１段階速い特殊再生操作コマンドを前記デジタルビデオカメラに送信する特殊再生操作コマンド送信手段と、前記１段階速い特殊再生操作コマンドが前記デジタルビデオカメラに送信された後、前記デジタルビデオカメラに状態取得コマンドを送信し、この状態取得コマンドによりカメラ状態を再度取得するカメラ状態再度取得手段と、このカメラ状態再度取得手段により取得されたカメラ状態が示す特殊再生速度が前記１段階速い特殊再生操作コマンドにより実行された１段階速い特殊再生速度の特殊再生状態であるか否かを判定する特殊再生状態判定手段と、前記１段階速い特殊再生速度の特殊再生状態であると判定された場合は特殊再生速度の段階の切り換えが完了したと認識するが、前記１段階速い特殊再生速度の特殊再生状態でないと判定された場合は、所定の応答時間を待って、１段階速い特殊再生速度の特殊再生状態であるか否かを再度判定する特殊再生状態再度判定手段と、この特殊再生状態再度判定手段により、前記１段階速い特殊再生速度の特殊再生状態であると判定された場合は特殊再生速度の段階の切り換えが完了したと認識するが、前記１段階速い特殊再生速度の特殊再生状態でないと判定された場合は、前記特殊再生操作コマンド送信手段からの処理に戻して、更に１段階速い特殊再生処理に関する処理に移行させる処理移行手段とを有する。
【００１９】
したがって、前記システムコントローラは、特殊操作検知処理、カメラ状態取得処理、特殊再生操作コマンド送信処理、カメラ状態再度取得処理、特殊再生状態判定処理、特殊再生状態再度判定処理、および処理移行処理を実現でき、これにより、早送り再生または巻き戻し再生またはスロー再生のことを示す特殊再生を行うための特殊再生操作により特殊再生が行われている際中に、特殊再生の速度の段階を切り換えるための特殊再生操作が行われると、送信した特殊再生操作コマンドにより実行されたカメラ状態に変わるまで、前記デジタルビデオカメラに各特殊再生操作コマンドを順次送信させることができる。
【発明の効果】
【００２０】
以上のように本発明によれば、デジタルビデオカメラを操作するカメラ操作モードに設定された後、早送り再生または巻き戻し再生またはスロー再生のことを示す特殊再生を行うための特殊再生操作により特殊再生が行われている際中に、特殊再生の速度の段階を切り換えるために特殊再生操作が行われたことを検知する特殊操作検知手段と、この特殊操作検知手段により特殊再生操作が検知されたとき、前記デジタルビデオカメラに状態取得コマンドを送信し、この状態取得コマンドによりカメラ状態を取得するカメラ状態取得手段と、前記取得されたカメラ状態が示す特殊再生速度よりも１段階速い特殊再生を行わせるための１段階速い特殊再生操作コマンドを前記デジタルビデオカメラに送信する特殊再生操作コマンド送信手段と、前記１段階速い特殊再生操作コマンドが前記デジタルビデオカメラに送信された後、前記デジタルビデオカメラに状態取得コマンドを送信し、この状態取得コマンドによりカメラ状態を再度取得するカメラ状態再度取得手段と、このカメラ状態再度取得手段により取得されたカメラ状態が示す特殊再生速度が前記１段階速い特殊再生操作コマンドにより実行された１段階速い特殊再生速度の特殊再生状態であるか否かを判定する特殊再生状態判定手段と、前記１段階速い特殊再生速度の特殊再生状態であると判定された場合は特殊再生速度の段階の切り換えが完了したと認識するが、前記１段階速い特殊再生速度の特殊再生状態でないと判定された場合は、所定の応答時間を待って、１段階速い特殊再生速度の特殊再生状態であるか否かを再度判定する特殊再生状態再度判定手段と、この特殊再生状態再度判定手段により、前記１段階速い特殊再生速度の特殊再生状態であると判定された場合は特殊再生速度の段階の切り換えが完了したと認識するが、前記１段階速い特殊再生速度の特殊再生状態でないと判定された場合は、前記特殊再生操作コマンド送信手段からの処理に戻して、更に１段階速い特殊再生処理に関する処理に移行させる処理移行手段とを有するシステムコントローラを備えたので、早送り再生または巻き戻し再生またはスロー再生のことを示す特殊再生を行うための特殊再生操作により特殊再生が行われている際中に、特殊再生の速度の段階を切り換えるための特殊再生操作が行われると、送信した特殊再生操作コマンドにより実行されたカメラ状態に変わるまで、前記デジタルビデオカメラに各特殊再生操作コマンドを順次送信させることができ、これにより、デジタルビデオカメラの機種に関係なく、デジタルビデオカメラに対して早送り再生・巻き戻し再生・スロー再生の速度の段階を切り換えることができ、ユーザにとってはデジタルビデオカメラに対する早送り再生の速度または巻き戻し再生の速度またはスロー再生の速度の段階の切り換え操作に対する使い勝手が良くなる。
【００２１】
また、本発明によれば、早送り再生または巻き戻し再生またはスロー再生のことを示す特殊再生を行うための特殊再生操作により特殊再生が行われている際中に、特殊再生の速度の段階を切り換えるために特殊再生操作が行われたことを検知したとき、デジタルビデオカメラへの状態取得コマンドによりカメラ状態を取得し、この取得したカメラ状態が、送信した特殊再生操作コマンドにより実行されたカメラ状態に変わるまで、前記デジタルビデオカメラに各特殊再生操作コマンドを順次送信させるシステムコントローラを備えたので、早送り再生または巻き戻し再生またはスロー再生のことを示す特殊再生を行うための特殊再生操作により特殊再生が行われている際中に、特殊再生の速度の段階を切り換えるための特殊再生操作が行われると、送信した特殊再生操作コマンドにより実行されたカメラ状態に変わるまで、前記デジタルビデオカメラに各特殊再生操作コマンドを順次送信させることができ、これにより、デジタルビデオカメラの機種に関係なく、デジタルビデオカメラに対して早送り再生・巻き戻し再生・スロー再生の速度の段階を切り換えることができ、ユーザにとってはデジタルビデオカメラに対する早送り再生の速度または巻き戻し再生の速度またはスロー再生の速度の段階の切り換え操作に対する使い勝手が良くなる。
【発明を実施するための最良の形態】
【００２２】
以下、添付図面を参照しつつ、本発明の実施の形態について説明する。図１は本発明の一実施形態に係る情報記録再生装置とデジタルビデオカメラとの構成を示すブロック図である。
【００２３】
図１において、デジタルビデオカメラＡと情報記録再生装置Ｂとは、例えば、通信ケーブルであるＩＥＥＥ（Institute of Electrical and Electronics Engineers）１３９４ケーブルＬにより接続され、デジタルビデオカメラＡで撮像された映像および入力された音声を情報記録再生装置Ｂにおいてダビング記録することが可能になっている。即ち、デジタルビデオカメラＡのデジタル入出力端子ａと情報記録再生装置Ｂのデジタル入出力端子ｂとがＩＥＥＥ１３９４ケーブルＬにより接続され、デジタルビデオカメラＡにおいて磁気テープ９に記録された映像音声データ（映像音声情報）を情報記録再生装置Ｂにおける記録媒体１７にダビング記録することが可能になっている。なお、記録媒体１７としては、情報記録再生装置Ｂがハードディスクレコーダである場合は、ハードディスクであり、情報記録再生装置ＢがＤＶＤレコーダである場合は、ＤＶＤである。したがって、本実施形態の情報記録再生装置Ｂは、ハードディスクレコーダ、ＤＶＤレコーダのどちらであっても良い。
【００２４】
デジタルビデオカメラＡは、物体を撮影するための撮影レンズ１と、この撮影レンズ１で撮影した映像を電気信号に変換するＣＣＤなどの撮像素子２と、撮像素子２の出力信号を所定形式の映像信号に変換する映像信号処理回路３と、音声を入力するマイク４と、このマイク４から出力される音声信号を増幅するマイクアンプ５と、このマイクアンプ５からの音声信号を所定形式の音声信号に変換する音声信号処理回路６と、映像信号処理回路３からの映像信号を入力してデジタル映像データに変換すると共に音声信号処理回路６からの音声信号を入力してデジタル音声データに変換して映像音声データとして磁気テープ９に記録したり、磁気テープ９に記録された映像音声データを再生したりする磁気テープ記録再生部７と、記録時や再生時あるいは巻戻し時や早送り時に磁気テープ９を走行させる磁気テープ駆動機構８と、磁気テープ記録再生部７で再生された映像音声データを情報記録再生装置Ｂに送信させたり、情報記録再生装置Ｂからの制御信号を受信したりする送受信回路１０と、この送受信回路１０とＩＥＥＥ１３９４ケーブルＬとの間のＩＥＥＥ１３９４のインターフェイス１１と、複数の操作キーを有する操作部１２と、カメラ全体を制御するシステムコントローラ１３とを備えている。
【００２５】
情報記録再生装置Ｂは、ＩＥＥＥ１３９４ケーブルＬと接続するためのデジタル入出力端子ｂを介して接続され、デジタルビデオカメラＡからの映像音声データを受信したり、デジタルビデオカメラＡに制御信号を送信したりする送受信回路１４と、この送受信回路１４で受信したＩＥＥＥ１３９４特有の映像音声データを情報記録再生装置Ｂで扱う通常の映像音声データに変換するデータコンバータ１５と、このデータコンバータ１５からの映像音声データをデコードするデコーダ１６と、記録時にはデコーダ１６からの映像音声データをＭＰＥＧ方式により圧縮して記録媒体１８に記録したり、再生時には記録媒体１８に記録された映像音声データを伸張して再生してモニタ装置Ｃに出力したりする記録再生部１７と、制御に必要なデータを格納するフラッシュＲＯＭなどのメモリ１９と、デジタルビデオカメラＡから出力された映像音声データを記録媒体１８に記録するダビング記録を行っているときに記録時間を計時するタイマ２０と、複数の操作キーを有するリモコンなどを示す操作部２１と、装置全体を制御するシステムコントローラ２２と、リモコン２４からの赤外線の操作信号を受光して電気信号の操作信号に変換してシステムコントローラ２２に与える受光部２３とを備えている。
【００２６】
特に、システムコントローラ２２は、本実施形態の特徴として、デジタルビデオカメラＡを操作するカメラ操作モードに設定された後、早送り再生または巻き戻し再生またはスロー再生のことを示す特殊再生を行うための特殊再生操作により特殊再生が行われている際中に、特殊再生の速度の段階を切り換えるために特殊再生操作が行われたことを検知する特殊操作検知手段と、この特殊操作検知手段により特殊再生操作が検知されたとき、デジタルビデオカメラＡに状態取得コマンドを送信し、この状態取得コマンドによりカメラ状態を取得するカメラ状態取得手段と、前記取得されたカメラ状態が示す特殊再生速度よりも１段階速い特殊再生を行わせるための１段階速い特殊再生操作コマンドをデジタルビデオカメラＡに送信する特殊再生操作コマンド送信手段と、前記１段階速い特殊再生操作コマンドがデジタルビデオカメラＡに送信された後、デジタルビデオカメラＡに状態取得コマンドを送信し、この状態取得コマンドによりカメラ状態を再度取得するカメラ状態再度取得手段と、このカメラ状態再度取得手段により取得されたカメラ状態が示す特殊再生速度が前記１段階速い特殊再生操作コマンドにより実行された１段階速い特殊再生速度の特殊再生状態であるか否かを判定する特殊再生状態判定手段と、前記１段階速い特殊再生速度の特殊再生状態であると判定された場合は特殊再生速度の段階の切り換えが完了したと認識するが、前記１段階速い特殊再生速度の特殊再生状態でないと判定された場合は、所定の応答時間を待って、１段階速い特殊再生速度の特殊再生状態であるか否かを再度判定する特殊再生状態再度判定手段と、この特殊再生状態再度判定手段により、前記１段階速い特殊再生速度の特殊再生状態であると判定された場合は特殊再生速度の段階の切り換えが完了したと認識するが、前記１段階速い特殊再生速度の特殊再生状態でないと判定された場合は、前記特殊再生操作コマンド送信手段からの処理に戻して、更に１段階速い特殊再生処理に関する処理に移行させる処理移行手段とを有する。
【００２７】
図２は本実施形態において各機種に対応する早送り再生・巻き戻し再生・スロー再生の操作コマンド（特殊再生操作コマンド）を説明するための図である。図２において、ｐｌａｙｂａｃｋ＿ｍｏｄｅコマンドとしては、ＮＥＸＴ  ＦＲＡＭＥ（正方向コマ送りのコマンド）、ＳＬＯＷＥＳＴ  ＦＯＲＷＡＲＤ（正スロー再生最低速のコマンド）、正スローの速度の低いコマンドから順に示されるＳＬＯＷ  ＦＯＲＷＡＲＤ６、ＳＬＯＷ  ＦＯＲＷＡＲＤ５、ＳＬＯＷ  ＦＯＲＷＡＲＤ４、ＳＬＯＷ  ＦＯＲＷＡＲＤ３、ＳＬＯＷ  ＦＯＲＷＡＲＤ２、ＳＬＯＷ  ＦＯＲＷＡＲＤ１（正スロー再生最高速のコマンド）が存在する。
【００２８】
また、ｐｌａｙｂａｃｋ＿ｍｏｄｅコマンドとしては、Ｘ１（通常再生と同じ速度の早送りのコマンド）、早送り再生速度の低いコマンドから順にＦＡＳＴ  ＦＯＲＷＡＲＤ１、ＦＡＳＴ  ＦＯＲＷＡＲＤ２、ＦＡＳＴ  ＦＯＲＷＡＲＤ３、ＦＡＳＴ  ＦＯＲＷＡＲＤ４、ＦＡＳＴ  ＦＯＲＷＡＲＤ５、ＦＡＳＴ  ＦＯＲＷＡＲＤ６、ＦＡＳＴＥＳＴ  ＦＯＲＷＡＲＤ（早送り再生の最高速のコマンド）が存在する。
【００２９】
また、ｐｌａｙｂａｃｋ＿ｍｏｄｅコマンドとしては、ＰＲＥＶＩＯＵＳ  ＦＲＡＭＥ（逆方向コマ送りのコマンド）、ＳＬＯＷＥＳＴ  ＲＥＶＥＲＳＥ（逆スロー再生の最低速のコマンド）、逆スロー再生速度の低いコマンドから順にＳＬＯＷ  ＲＥＶＥＲＳＥ６、ＳＬＯＷ  ＲＥＶＥＲＳＥ５、ＳＬＯＷ  ＲＥＶＥＲＳＥ４、ＳＬＯＷ  ＲＥＶＥＲＳＥ３、ＳＬＯＷ  ＲＥＶＥＲＳＥ２、ＳＬＯＷ  ＲＥＶＥＲＳＥ１（逆スロー再生の最高速のコマンド）が存在する。
【００３０】
また、ｐｌａｙｂａｃｋ＿ｍｏｄｅコマンドとしては、Ｘ１  ＲＥＶＥＲＳＥ（逆再生と同じ速度の巻き戻しのコマンド）、巻き戻し再生速度の低いコマンドから順にＦＡＳＴ  ＲＥＶＥＲＳＥ１、ＦＡＳＴ  ＲＥＶＥＲＳＥ２、ＦＡＳＴ  ＲＥＶＥＲＳＥ３、ＦＡＳＴ  ＲＥＶＥＲＳＥ４、ＦＡＳＴ  ＲＥＶＥＲＳＥ５、ＦＡＳＴ  ＲＥＶＥＲＳＥ６、ＦＡＳＴＥＳＴ  ＲＥＶＥＲＳＥ（巻き戻し再生の最高速のコマンド）が存在する。
【００３１】
また、ｐｌａｙｂａｃｋ＿ｍｏｄｅコマンドとしては、ＲＥＶＥＲＳＥ（逆再生のコマンド）、ＲＥＶＥＲＳＥ  ＰＡＵＳＥ（逆方向一時停止のコマンド）、ＦＯＲＷＡＲＤ（再生のコマンド）、ＦＯＲＷＡＲＤ  ＰＡＵＳＥ（正方向一時停止のコマンド）が存在する。
【００３２】
図２に示す例では、メーカーＡ社のａ機種のデジタルビデオカメラ、メーカーＡ社のｂ機種のデジタルビデオカメラ、メーカーＢ社のｘ機種のデジタルビデオカメラは、それぞれ○印が付されたコマンドに対応する動作を実行することができる。したがって、図１において、情報記録再生装置Ｂからのコマンドが当該機種のデジタルビデオカメラに有れば、当該機種のデジタルビデオカメラは、該当するコマンドに対応する動作を実行させることができる。図１に示すコマンドを情報記録再生装置Ｂのメモリ（フラッシュＲＯＭ）１９に記憶させておくことで、情報記録再生装置Ｂは、各メーカーのデジタルビデオカメラの機種に対応させたコマンドを、接続されたデジタルビデオカメラに送ることにより、当該接続されたデジタルビデオカメラが持っている機能の範囲で当該接続されたデジタルビデオカメラを操作することが可能になる。
【００３３】
図３は本実施形態において早送り再生の速度の段階の切り換え処理を説明するためのフローチャートである。このフローチャートおよび図１〜図２を参照して早送り再生の速度の段階の切り換え処理について説明する。
【００３４】
先ず、デジタルビデオカメラＡと情報記録再生装置ＢとをＩＥＥＥ１３９４ケーブルＬにより接続し、情報記録再生装置ＢからデジタルビデオカメラＡを操作できるようにするため、情報記録再生装置Ｂのモードをカメラ操作モードに設定する操作をリモコン２４により行う。これにより、情報記録再生装置Ｂはカメラ操作モードに設定される（ステップＳ１）。そして、リモコン２４の早送りキーが押下されると、情報記録再生装置Ｂのシステムコントローラ２２は、早送りキーの押下を検知し（ステップＳ２）、ＦＦ１操作コマンド（ＦＡＳＴ  ＦＯＲＷＡＲＤ１）をデジタルビデオカメラＡに送信する（ステップＳ３）。これにより、システムコントローラ２２からのＦＦ１操作コマンドは、送受信回路１４からＩＥＥＥ１３９４ケーブルＬを介してデジタルビデオカメラＡに入力される。
【００３５】
ビデオデジタルカメラＡでは、システムコントローラ１３が、前記入力されたＦＦ１操作コマンドをインターフェイス１１および送受信回路１０を介して受け取り、磁気テープ記録再生部７および磁気テープ駆動機構８を制御して早送り再生動作をさせる。したがって、磁気テープ記録再生部７は、磁気テープ９から映像音声データを、早送り再生速度ＦＦ１で読み出して、送受信回路１０、インターフェイス１１、およびＩＥＥＥ１３９４ケーブルＬを介して情報記録再生装置Ｂに送信する。情報記録再生装置Ｂでは、デジタルビデオカメラＡからの映像音声データを、送受信回路１４で受信して、データコンバータ１５およびデコーダ１６の各処理を経て、記録再生部１７を素通りさせてモニタ装置Ｃに出力する。これにより、モニタ装置Ｃでは、早送り再生速度ＦＦ１で早送り再生された映像が表示されることになる。
【００３６】
このようにして早送り再生速度ＦＦ１で早送り再生が行われている際中に、１段階速い速度で早送り再生をしたいため、リモコン２４の早送りキーが再び押下されると、システムコントローラ２２の特殊操作検知手段は、早送りキーの押下を検知する（ステップＳ４）。次に、システムコントローラ２２のカメラ状態取得手段は、状態取得コマンドを、送受信回路１４、ＩＥＥＥ１３９４ケーブルＬ、インターフェイス１１、および送受信回路１０を経由してデジタルビデオカメラＡのシステムコントローラ１３に送信する（ステップＳ５）。そして、状態取得コマンドに応答してシステムコントローラ１３は、デジタルビデオカメラＡの現在の状態（この例の場合、ＦＦ１早送り再生状態）を検出し、送受信回路１０、インターフェイス１１、ＩＥＥＥ１３９４ケーブルＬ、および送受信回路１４を経由して情報記録再生装置Ｂのシステムコントローラ２２に送信する。これにより、システムコントローラ２２のカメラ状態取得手段は、現在のデジタルビデオカメラＡの状態（ＦＦ１早送り再生状態）を取得する（ステップＳ６）。
【００３７】
次に、システムコントローラ２２は、前記取得されたカメラ状態が示す早送り再生速度（この例の場合、ＦＦ１早送り再生速度）よりも１段階速い早送り再生を行わせるための１段階速い早送り再生操作コマンド（この例の場合、ＦＦ２再生操作コマンド）を、送受信回路１４、ＩＥＥＥ１３９４ケーブルＬ、インターフェイス１１、および送受信回路１０を経由してデジタルビデオカメラＡのシステムコントローラ１３に送信する（ステップＳ７）。
【００３８】
そして、前記送信されたＦＦ２再生操作コマンドが最高速のＦＦ再生操作コマンドでない場合は（ステップＳ８）、システムコントローラ２２のカメラ状態再度取得手段は、状態取得コマンドを、送受信回路１４、ＩＥＥＥ１３９４ケーブルＬ、インターフェイス１１、および送受信回路１０を経由してデジタルビデオカメラＡのシステムコントローラ１３に送信する（ステップＳ９）。次に、前記状態取得コマンドに応答してシステムコントローラ１３は、デジタルビデオカメラＡの現在の状態（この例の場合、ＦＦ１早送り再生状態）を検出し、送受信回路１０、インターフェイス１１、ＩＥＥＥ１３９４ケーブルＬ、および送受信回路１４を経由して情報記録再生装置Ｂのシステムコントローラ２２に送信する。これにより、システムコントローラ２２のカメラ状態再度取得手段は、現在のデジタルビデオカメラＡの状態（ＦＦ１早送り再生状態）を取得する（ステップＳ１０）。
【００３９】
これにより、システムコントローラ２２の特殊再生状態判定手段は、前記カメラ状態再度取得手段により取得されたカメラ状態が示す特殊再生速度（この場合、早送り再生速度）が前記１段階速い特殊再生操作コマンド（この場合、ＦＦ２操作コマンド）により実行された１段階速い特殊再生速度の特殊再生状態（ＦＦ２早送り再生状態）であるか否かを判定する（ステップＳ１１）。前記１段階速い特殊再生速度の特殊再生状態（ＦＦ２早送り再生状態）であると判定された場合は、特殊再生（早送り再生）の切り換えが完了したと認識されるが（ステップＳ１２）、前記１段階速い特殊再生速度（ＦＦ２再生速度）の特殊再生状態（ＦＦ２早送り再生状態）でないと判定された場合は、システムコントローラ２２の特殊再生状態再度判定手段は、所定の応答時間（この例の場合、２００ｍｓ）を待って（ステップＳ１３）、１段階速い特殊再生速度の特殊再生状態（ＦＦ２早送り再生状態）であるか否かを再度判定する（ステップＳ１４）。
【００４０】
前記特殊再生状態再度判定手段により、前記１段階速い特殊再生速度の特殊再生状態（ＦＦ２早送り再生状態）であると判定された場合は、特殊再生（ＦＦ２早送り再生）の切り換えが完了したと認識するが（ステップＳ１２）、前記１段階速い特殊再生速度の特殊再生状態（ＦＦ２早送り再生状態）でないと判定された場合は、システムコントローラ２２の処理移行手段は、前記特殊再生操作コマンド送信手段からの処理（ステップＳ７）に戻して、更に１段階速い特殊再生処理（ＦＦ３早送り再生処理）に関する処理に移行させる（ステップＳ１５）。
【００４１】
次のステップＳ７からの処理は、ＦＦ３早送り再生ついての処理が行われ、同様にステップＳ１５まで来た場合は、また、ステップＳ７に戻り、ＦＦ４早送り再生についての処理が同様に行われる。このような処理が、最高速のＦＦ再生操作コマンドがデジタルビデオカメラＡに送信されるまで繰り返された場合、ステップＳ８において、システムコントローラ２２は、ステップＳ７の処理で送信された早送り操作操作コマンドが最高速のＦＦ再生操作コマンドであると判定した場合は、状態取得コマンドをデジタルビデオカメラＡに送信し（ステップＳ１６）、デジタルビデオカメラＡの状態である最高速の早送り再生状態を取得し（ステップＳ１７）、最高速の早送り再生への切り換えの完了を認識する（ステップＳ１８）。
【００４２】
なお、図３に示すフローチャートでは早送り再生の速度の段階の切り換え処理について説明したが、巻き戻し再生の速度の段階の切り換え処理やスロー再生の速度の段階の切り換え処理についても、同様な処理により実現できる。
【００４３】
図１に示すデジタルビデオカメラＡが図２に示すＡ社ａ機種のデジタルビデオカメラであった場合として、情報記録再生装置ＢがデジタルビデオカメラＡを早送り再生操作する処理について、図３に示すフローチャートを参照して説明する。
【００４４】
先ず、デジタルビデオカメラＡと情報記録再生装置ＢとをＩＥＥＥ１３９４ケーブルＬにより接続し、情報記録再生装置ＢからデジタルビデオカメラＡを操作できるようにするため、情報記録再生装置Ｂのモードをカメラ操作モードに設定する操作をリモコン２４により行う。これにより、情報記録再生装置Ｂはカメラ操作モードに設定される（ステップＳ１）。そして、リモコン２４の早送りキーが押下されると、情報記録再生装置Ｂのシステムコントローラ２２は、早送りキーの押下を検知し（ステップＳ２）、ＦＡＳＴ  ＦＯＲＷＡＲＤ１（図２参照）をデジタルビデオカメラＡに送信する（ステップＳ３）。これにより、システムコントローラ２２からのＦＡＳＴ  ＦＯＲＷＡＲＤ１は、送受信回路１４からＩＥＥＥ１３９４ケーブルＬを介してデジタルビデオカメラＡに入力される。
【００４５】
ビデオデジタルカメラＡでは、システムコントローラ１３は、前記入力されたＦＡＳＴ  ＦＯＲＷＡＲＤ１をインターフェイス１１および送受信回路１０を介して受け取り、磁気テープ記録再生部７および磁気テープ駆動機構８を制御して早送り再生動作させる。したがって、磁気テープ記録再生部７は、磁気テープ９から映像音声データを、早送り再生速度ＦＦ１（早送り再生最低速）で読み出して、送受信回路１０、インターフェイス１１、およびＩＥＥＥ１３９４ケーブルＬを介して情報記録再生装置Ｂに送信する。情報記録再生装置Ｂでは、デジタルビデオカメラＡからの映像音声データを、送受信回路１４で受信して、データコンバータ１５およびデコーダ１６の各処理を経て、記録再生部１７を素通りさせてモニタ装置Ｃに出力する。これにより、モニタ装置Ｃでは、早送り再生速度ＦＦ１（早送り再生最低速）で早送り再生された映像が表示されることになる。
【００４６】
このようにして早送り再生速度ＦＦ１（早送り再生最低速）で早送り再生が行われている際中に、１段階速い速度で早送り再生をしたいため、リモコン２４の早送りキーが再び押下されると、システムコントローラ２２の特殊操作検知手段は、早送りキーの押下を検知する（ステップＳ４）。次に、システムコントローラ２２のカメラ状態取得手段は、状態取得コマンドを、送受信回路１４、ＩＥＥＥ１３９４ケーブルＬ、インターフェイス１１、および送受信回路１０を経由してデジタルビデオカメラＡのシステムコントローラ１３に送信する（ステップＳ５）。そして、状態取得コマンドに応答してシステムコントローラ１３は、デジタルビデオカメラＡの現在の状態（この例の場合、ＦＦ１早送り再生状態）を検出し、送受信回路１０、インターフェイス１１、ＩＥＥＥ１３９４ケーブルＬ、および送受信回路１４を経由して情報記録再生装置Ｂのシステムコントローラ２２に送信する。これにより、システムコントローラ２２のカメラ状態取得手段は、現在のデジタルビデオカメラＡの状態（ＦＦ１早送り再生状態）を取得する（ステップＳ６）。
【００４７】
次に、システムコントローラ２２は、前記取得されたカメラ状態が示す早送り再生速度（この例の場合、ＦＦ１早送り再生速度）よりも１段階速い早送り再生を行わせるための１段階速い早送り再生操作コマンドであるＦＡＳＴ  ＦＯＲＷＡＲＤ２（図２参照）を、送受信回路１４、ＩＥＥＥ１３９４ケーブルＬ、インターフェイス１１、および送受信回路１０を経由してデジタルビデオカメラＡのシステムコントローラ１３に送信する（ステップＳ７）。
【００４８】
そして、前記送信されたＦＡＳＴ  ＦＯＲＷＡＲＤ２が最高速のＦＦ操作コマンドであるＦＡＳＴＥＳＴ  ＦＯＲＷＡＲＤ（図２参照）でない場合は（ステップ８）、システムコントローラ２２のカメラ状態再度取得手段は、状態取得コマンドを、送受信回路１４、ＩＥＥＥ１３９４ケーブルＬ、インターフェイス１１、および送受信回路１０を経由してデジタルビデオカメラＡのシステムコントローラ１３に送信する（ステップＳ９）。次に、前記状態取得コマンドに応答してシステムコントローラ１３は、デジタルビデオカメラＡの現在の状態（この例の場合、カメラ内にはＦＡＳＴ  ＦＯＲＷＡＲＤ２のコマンドが無いので、ＦＦ１早送り再生状態）を検出し、送受信回路１０、インターフェイス１１、ＩＥＥＥ１３９４ケーブルＬ、および送受信回路１４を経由して情報記録再生装置Ｂのシステムコントローラ２２に送信する。これにより、システムコントローラ２２のカメラ状態再度取得手段は、現在のデジタルビデオカメラＡの状態（ＦＦ１早送り再生状態）を取得する（ステップＳ１０）。
【００４９】
これにより、システムコントローラ２２の特殊再生状態判定手段は、前記カメラ状態再度取得手段により取得されたカメラ状態が示す早送り再生速度が前記１段階速い特殊再生操作コマンドであるＦＡＳＴ  ＦＯＲＷＡＲＤ２の早送り再生状態であるか否かを判定する（ステップＳ１１）。この場合は、Ａ社ａ機種はＦＡＳＴ  ＦＯＲＷＡＲＤ２が存在しないので（図２参照）、ＦＡＳＴ  ＦＯＲＷＡＲＤ２の早送り再生状態でないと判定される。そして、システムコントローラ２２の特殊再生状態再度判定手段は、例えば２００ｍｓを待って（ステップＳ１３）、ＦＡＳＴ  ＦＯＲＷＡＲＤ２の早送り再生状態であるか否かを再度判定する（ステップＳ１４）。
【００５０】
しかし、ＦＡＳＴ  ＦＯＲＷＡＲＤ２はＡ社ａ機種のデジタルビデオカメラには元々存在しないので、現在のカメラ状態はＦＦ２早送り再生状態ではないと判定される。そして、システムコントローラ２２の処理移行手段は、前記特殊再生操作コマンド送信手段からの処理（ステップＳ７）に戻して、更に１段階速いＦＦ３早送り再生処理に関する処理に移行させる（ステップＳ１５）。
【００５１】
次に、システムコントローラ２２は、前記取得されたカメラ状態が示す早送り再生速度（この例の場合、ＦＦ１早送り再生速度）よりも更に１段階速い早送り再生を行わせるための１段階速い早送り再生操作コマンドであるＦＡＳＴ  ＦＯＲＷＡＲＤ３（図２参照）を、送受信回路１４、ＩＥＥＥ１３９４ケーブルＬ、インターフェイス１１、および送受信回路１０を経由してデジタルビデオカメラＡのシステムコントローラ１３に送信する（ステップＳ７）。
【００５２】
そして、前記送信されたＦＡＳＴ  ＦＯＲＷＡＲＤ３が最高速のＦＦ再生操作コマンドであるＦＡＳＴＥＳＴ  ＦＯＲＷＡＲＤ（図２参照）でない場合は（ステップ８）、システムコントローラ２２のカメラ状態再度取得手段は、状態取得コマンドを、送受信回路１４、ＩＥＥＥ１３９４ケーブルＬ、インターフェイス１１、および送受信回路１０を経由してデジタルビデオカメラＡのシステムコントローラ１３に送信する（ステップＳ９）。次に、前記状態取得コマンドに応答してシステムコントローラ１３は、デジタルビデオカメラＡの現在の状態（この例の場合、カメラ内にはＦＡＳＴ  ＦＯＲＷＡＲＤ３のコマンドが無いので、再びＦＦ１早送り再生状態）を検出し、送受信回路１０、インターフェイス１１、ＩＥＥＥ１３９４ケーブルＬ、および送受信回路１４を経由して情報記録再生装置Ｂのシステムコントローラ２２に送信する。これにより、システムコントローラ２２のカメラ状態再度取得手段は、現在のデジタルビデオカメラＡの状態（ＦＦ１早送り再生状態）を取得する（ステップＳ１０）。
【００５３】
これにより、システムコントローラ２２の特殊再生状態判定手段は、前記カメラ状態再度取得手段により取得されたカメラ状態が示す早送り再生速度が前記１段階速い特殊再生操作コマンドであるＦＡＳＴ  ＦＯＲＷＡＲＤ３の早送り再生状態であるか否かを判定する（ステップＳ１１）。この場合は、Ａ社ａ機種のデジタルビデオカメラは、ＦＡＳＴ  ＦＯＲＷＡＲＤ３が存在しないので（図２参照）、ＦＡＳＴ  ＦＯＲＷＡＲＤ３の早送り再生状態でないと判定される。そして、システムコントローラ２２の特殊再生状態再度判定手段は、例えば２００ｍｓを待って（ステップＳ１３）、ＦＡＳＴ  ＦＯＲＷＡＲＤ３の早送り再生状態であるか否かを再度判定する（ステップＳ１４）。
【００５４】
しかし、ＦＡＳＴ  ＦＯＲＷＡＲＤ３はＡ社ａ機種には元々存在しないので、現在のカメラ状態はＦＦ３早送り再生状態でないと判定される。そして、システムコントローラ２２の処理移行手段は、前記特殊再生操作コマンド送信手段からの処理（ステップＳ７）に戻して、更に１段階速いＦＦ４早送り再生処理に関する処理に移行させる（ステップＳ１５）。
【００５５】
次に、システムコントローラ２２は、前記取得されたカメラ状態が示す早送り再生速度（この例の場合、ＦＦ３早送り再生速度）よりも更に１段階速い早送り再生を行わせるための１段階速い早送り再生操作コマンドであるＦＡＳＴ  ＦＯＲＷＡＲＤ４（図２参照）を、送受信回路１４、ＩＥＥＥ１３９４ケーブルＬ、インターフェイス１１、および送受信回路１０を経由してデジタルビデオカメラＡのシステムコントローラ１３に送信する（ステップＳ７）。
【００５６】
そして、前記送信されたＦＡＳＴ  ＦＯＲＷＡＲＤ４が最高速のＦＦ操作コマンドであるＦＡＳＴＥＳＴ  ＦＯＲＷＡＲＤ（図２参照）でない場合は（ステップＳ８）、システムコントローラ２２のカメラ状態再度取得手段は、状態取得コマンドを、送受信回路１４、ＩＥＥＥ１３９４ケーブルＬ、インターフェイス１１、および送受信回路１０を経由してデジタルビデオカメラＡのシステムコントローラ１３に送信する（ステップＳ９）。次に、前記状態取得コマンドに応答してシステムコントローラ１３は、デジタルビデオカメラＡの現在の状態（この例の場合、カメラ内にはＦＡＳＴ  ＦＯＲＷＡＲＤ４のコマンドが有るので、ＦＦ４早送り再生状態）を検出し、送受信回路１０、インターフェイス１１、ＩＥＥＥ１３９４ケーブルＬ、および送受信回路１４を経由して情報記録再生装置Ｂのシステムコントローラ２２に送信する。これにより、システムコントローラ２２のカメラ状態再度取得手段は、現在のデジタルビデオカメラＡの状態（ＦＦ４早送り再生状態）を取得する（ステップＳ１０）。
【００５７】
これにより、システムコントローラ２２の特殊再生状態判定手段は、前記カメラ状態再度取得手段により取得されたカメラ状態が示す早送り再生速度が前記１段階速い特殊再生操作コマンドであるＦＡＳＴ  ＦＯＲＷＡＲＤ４の早送り再生状態であるか否かを判定する（ステップＳ１１）。この場合は、Ａ社ａ機種のデジタルビデオカメラは、ＦＡＳＴ  ＦＯＲＷＡＲＤ４が存在するので（図２参照）、ＦＡＳＴ  ＦＯＲＷＡＲＤ４の早送り再生状態であると判定され、ＦＦ４の早送り再生速度への切り換えが完了する（ステップＳ１２）。
【００５８】
なお、ここでは、デジタルビデオカメラとしてＡ社ａ機種のデジタルビデオカメラに対する早送り再生速度の段階の切り換えについて説明したが、これに限らず他社の機種のデジタルビデオカメラに対する早送り再生速度の段階の切り換えについても同様な処理で実現できる。また、巻き戻し再生速度の段階の切り換えやスロー再生速度の段階の切り換えについても同様な処理で実現できる。
【００５９】
要するに本実施形態では、図４に示すように、情報記録再生装置側のリモコンのＦＦキー（早送りキー）が押下されると、情報記録再生装置は、この時のデジタルビデオカメラの状態がＦＦ１状態であることを認識し、コマンドＦＦ２をデジタルビデオカメラに送信する。しかし、デジタルビデオカメラは、コマンドＦＦ２に対する機能を備えていないので、カメラ状態は変わらず、ＦＦ１状態のままである。したがって、情報記録再生装置は、コマンドＦＦ２をデジタルビデオカメラに送っても、取得したカメラ状態はＦＦ１状態なので、次にコマンドＦＦ３をデジタルビデオカメラに送る。これにより、デジタルビデオカメラの状態は、ＦＦ３状態に変わる。このように、情報記録再生装置から送信した特殊再生操作コマンドにより実行されたデジタルビデオカメラのカメラ状態に変わるまで、デジタルビデオカメラに各特殊再生操作コマンドを順次送信させるようにしている。
【００６０】
以上説明したように本実施形態によれば、早送り再生または巻き戻し再生またはスロー再生のことを示す特殊再生を行うための特殊再生操作により特殊再生が行われている際中に、特殊再生の速度の段階を切り換えるための特殊再生操作が行われると、送信した特殊再生操作コマンドにより実行されたカメラ状態に変わるまで、前記デジタルビデオカメラに各特殊再生操作コマンドを順次送信させるので、デジタルビデオカメラの機種に関係なく、デジタルビデオカメラに対して早送り再生・巻き戻し再生・スロー再生の速度の段階を切り換えることができ、ユーザにとってはデジタルビデオカメラに対する早送り再生速度または巻き戻し再生速度またはスロー再生速度の段階の切り換え操作に対する使い勝手が良くなる。
【産業上の利用可能性】
【００６１】
本発明においては、デジタルビデオカメラを操作することができるように構成されたＤＶＤレコーダやハードディスクレコーダなどの情報記録再生装置に、デジタルビデオカメラにセットされた磁気テープに対する早送り再生の速度または巻き戻し再生の速度またはスロー再生の速度の段階を切り換えることができるようにする機能を付加することができる。
【図面の簡単な説明】
【００６２】
【図１】本発明の一実施形態に係る情報記録再生装置とデジタルビデオカメラとの構成を示すブロック図である。
【図２】前記実施形態において各機種に対応する早送り再生・巻き戻し再生・スロー再生の操作コマンド（特殊再生操作コマンド）を説明するための図である。
【図３】前記実施形態において早送り再生の速度の段階の切り換え処理を説明するためのフローチャートである。
【図４】前記実施形態において早送り再生の速度の段階を切り換える処理を簡単に説明するための図である。
【符号の説明】
【００６３】
Ａ    デジタルビデオカメラ
Ｂ    情報記録再生装置
Ｌ    ＩＥＥＥ１３９４ケーブル
１    撮像レンズ（撮像手段）
２    撮像素子（撮像手段）
４    マイク（音声入力手段）
９    磁気テープ
１８    記録媒体
２２    システムコントローラ
【図１】
2007324949.tif 000003
【図２】
2007324949.tif 000004
【図３】
2007324949.tif 000005
【図４】
2007324949.tif 000006